(57)【要約】【課題】  従来のエクステンション用人工毛が地まつげに対し装着角度の精度が悪く且つ接着剤との有効な接触面積が小さく剥がれ易いという問題を解決する。【解決手段】  長手方向に見て装着時に前方に位置するまつげエクステンション用人工毛前装部、装着時に後方に位置するまつげエクステンション用人工毛基底部及びその中間に位置するまつげエクステンション用人工毛胴体部の３部位よりなり、この３部位は所望の直線若しくは３次元的曲線より成る軸心を共有し、さらにまつげエクステンション用人工毛前装部及びまつげエクステンション用人工毛基底部は各々先端もしくは後端に向かって先細り状に形成され、さらにまつげエクステンション用人工毛基底部の長手方向にはまつげエクステンション用人工毛胴体部の軸心に対して所望の傾斜角をもつ平坦接着面を有するまつげエクステンション用人工毛とする。【選択図】図１
2018204165.tif 000002
【特許請求の範囲】
【請求項１】
地まつげに装着するまつげエクステンション用人工毛であって、該まつげエクステンション用人工毛は長手方向に見て装着時に前方に位置するまつげエクステンション用人工毛前装部、装着時に後方に位置するまつげエクステンション用人工毛基底部及びその中間に位置するまつげエクステンション用人工毛胴体部の３部位よりなり、該３部位は所望の直線若しくは３次元的曲線より成る軸心を共有し、且つ前記まつげエクステンション用人工毛前装部及びまつげエクステンション用人工毛基底部は各々先端もしくは後端に向かって先細り状に形成され、さらに前記まつげエクステンション用人工毛基底部の長手方向には前記まつげエクステンション用人工毛胴体部の軸心に対して所望の傾斜角をもつ平坦接着面を有することを特徴とするまつげエクステンション用人工毛。
【請求項２】
前記平坦接着面を複数有し、且つ該平坦接着面の前記まつげエクステンション用人工毛胴体部の軸心に対する各々の傾斜角度が異なることを特徴とする請求項１記載のまつげエクステンション用人工毛。
【請求項３】
地まつげに装着するまつげエクステンション用人工毛であって、該まつげエクステンション用人工毛は長手方向に見て装着時に前方に位置するまつげエクステンション用人工毛前装部、装着時に後方に位置するまつげエクステンション用人工毛基底部及びその中間に位置するまつげエクステンション用人工毛胴体部の３部位よりなり、該３部位は所望の直線若しくは３次元的曲線より成る軸心を共有し、且つ前記まつげエクステンション用人工毛前装部及びまつげエクステンション用人工毛基底部は各々先端もしくは後端に向かって先細り状に形成され、さらに前記まつげエクステンション用人工毛基底部の長手方向には前記まつげエクステンション用人工毛胴体部軸心に対し所望の傾斜角をもつ直線線素群から構成されると共に周方向に見ると該地まつ毛に沿う曲線群から構成される全体的に周方向に湾曲する周方向湾曲接着面を有することを特徴とするまつげエクステンション用人工毛。
【請求項４】
前記周方向湾曲接着面を複数有し、且つ該周方向湾曲接着面の前記まつげエクステンション用人工毛胴体部の軸心に対する各々の傾斜角度が異なることを特徴とする請求項３記載のまつげエクステンション用人工毛。
【発明の詳細な説明】
【技術分野】
【０００１】  本発明は、地まつげに装着するエクステンション用人工毛に関し、特に地まつげに対し所望の角度をもって確実に装着できるエクステンション用人工毛に関する。
【背景技術】
【０００２】  従来より、地まつげに人工毛を装着して、地まつげの長さを延長することは、地まつげのボリューム感を増大させると共に、目を大きく見せる効果があることが知られており、このような効果を持つまつげ用人工毛は、女性を中心として広く利用されている。【０００３】  利用者は、自身で簡単に取付けることができる、いわゆる、つけまつげと称されるタイプのものを利用する方法、他方では、地まつげ１本１本にまつげエクステンション用人工毛を装着する方法がある。後者の方法においては、より細かい作業が必要となるため、専門の店舗にて技師による施術を受けることが行われている。【０００４】  上記のような施術においては、地まつげに対して所望の位置に所望の角度で所望の本数まつげエクステンション用人工毛を接着により複数本装着して、地まつげの長さの延長や本数の増加などの相乗効果によりボリューム感の有るまつげを得ることが出来る。【０００５】  従来、地まつげにまつげエクステンション用人工毛を装着する一般的な方法として、まずまつげエクステンション用人工毛の一部をピンセットで掴み、そしてまつげエクステンション用人工毛の末端部に接着剤を塗布した状態で、まつげエクステンション用人工毛を地まつげの近くに持っていき、次にまつげエクステンション用人工毛の接着剤を地まつげに付けて、まつげエクステンション用人工毛を地まつげに密着させ、そして接着剤が硬化して、まつげエクステンション用人工毛が地まつげに固定されたならば、ピンセットを外して、まつげエクステンション用人工毛の取り付けを完了させるが、この作業を各地まつげについて実施することが行われている（例えば、特許文献１）。さらに、元々地まつげの少ない人にもボリューム感を与えることが出来るまつげエクステンション用人工毛の装着方法として、例えば図９Ａ、図９Ｂにその構成を記載されている従来の第一の装着方法では、地まつげ１１０の胴部１２０にまつげエクステンション用人工毛１００を地まつげ１１０の軸心に対し所望の装着角度αに配置するが、まつげエクステンション用人工毛基底部１５０は接触点１９０にてのみにて地まつげ１１０と点接触し、接触点１９０周りに僅かな周長のフィレットを伴うメニスカス状態の接着剤２３０にて固定２２０されて装着しており、あるいは図１０Ａ、図１０Ｂにその構成を記載されている従来の第二の装着方法では、地まつげ１１１の胴部１２１にまつげエクステンション用人工毛１０１を地まつげ１１１の軸心に対し所望の装着角度αに交差させて載置してまつげエクステンション用人工毛胴体部１３１を接触点１９１にてのみ地まつげ１１１と点接触し、接触点１９１周りに僅かな周長のフィレットを伴うメニスカス状態の接着剤２３１にて固定２２１されて装着している。  しかし、従来の第一の装着方法にあっては地まつげ１１０とエクステンション用人工毛１００が当接している個所は地まつげ胴部１２０の円筒状外表面とまつげエクステンション用人工毛胴体部１３０の円筒状部の端部であるまつげエクステンション用人工毛基底部１５０端面とは接触点１９０での点接触状態部のみであるため装着角度が安定しないこととなって所望角度に対する精度の確保が得られ難く、また接触個所が点状であ���為に固定部２２０を構成する接触点周りのメニスカスに接着剤２３０の表面張力により生成される接着剤２３０のフィレット部の周方向長さが短くなって接着剤２３０との有効な接触面積が小さいため接着強度得られ難く、即ちまつげエクステンション用人工毛１００が地まつげ１１０に対し装着角度の精度が悪く且つ剥がれ易いとの問題を有し、また従来の第二の装着方法にあっては地まつげ１１１とエクステンション用人工毛１０１が交差することにより当接している個所は地まつげ胴部１２１の円筒状外表面とまつげエクステンション用人工毛胴体部１３１の円筒状外表面とが接触点１９１での点接触であるため装着角度が安定しないこととなって所望角度に対する精度の確保が得られ難く、また交差した接触個所が点状である為に固定部２２１を構成する接触点１９１周りのメニスカスに接着剤の表面張力により生成される接着剤のフィレット部の周方向長さが短くなるために接着剤３２１との有効な接触面積が小さいため接着強度得られ難くい、即ちまつげエクステンション用人工毛１０１が地まつげ１１１に対し装着角度の精度が悪く且つ剥がれ易いとの問題を有していた。
【先行技術文献】
【特許文献】
【０００６】
【特許文献１】特開２０１５−５９２８０  公報
【発明の概要】
【発明が解決しようとする課題】
【０００７】  本発明は、前記した従来のエクステンション用人工毛が地まつげに対し装着角度の精度が悪く且つ接着剤との有効な接触面積が小さくて接着強度が得られず剥がれ易いという問題を解決するためになされたもので、エクステンション用人工毛のまつげエクステンション用人工毛基底部の長手方向に所望の装着角度に合致した前記まつげエクステンション用人工毛胴体部の軸心に対して所望の傾斜角をもつ直線状の接触部を形成することが可能な平坦接着面又は面状の接触部を形成することが可能な周方向湾曲接着面を有することにより、地まつげに対し所望の装着角度に精度よく設けることが出来且つ接触部周りのメニスカスに接着剤の表面張力により生成される接着剤のフィレット部の周方向長さの全周長を長くして接着剤との有効な接触面積を大きくして充分な接着強度が得られて剥がれ難いエクステンション用人工毛を提供するものである。
【課題を解決するための手段】
【０００８】  本発明の地まつげに装着するまつげエクステンション用人工毛は、該まつげエクステンション用人工毛は長手方向に見て装着時に前方に位置するまつげエクステンション用人工毛前装部、装着時に後方に位置するまつげエクステンション用人工毛基底部及びその中間に位置するまつげエクステンション用人工毛胴体部の３部位よりなり、該３部位は所望の直線若しくは３次元的曲線より成る軸心を共有し、且つ前記まつげエクステンション用人工毛前装部及びまつげエクステンション用人工毛基底部は各々先端もしくは後端に向かって先細り状に形成され、さらに前記まつげエクステンション用人工毛基底部の長手方向には前記まつげエクステンション用人工毛胴体部の軸心に対して所望の傾斜角をもつ平坦接着面を有することを特徴とするまつげエクステンション用人工毛であり、さらに前記平坦接着面を複数有し、且つ該平坦接着面の前記まつげエクステンション用人工毛胴体部の軸心に対する各々の傾斜角度が異なることを特徴とする。  又、地まつげに装着するまつげエクステンション用人工毛であって、該まつげエクステンション用人工毛は長手方向に見て装着時に前方に位置するまつげエクステンション用人工毛前装部、装着時に後方に位置するまつげエクステンション用人工毛基底部及びその中間に位置するまつげエクステンション用人工毛胴体部の３部位よりなり、該３部位は所望の直線若しくは３次元的曲線より成る軸心を共有し、且つ前記まつげエクステンション用人工毛前装部及びまつげエクステンション用人工毛基底部は各々先端もしくは後端に向かって先細り状に形成され、さらに前記まつげエクステンション用人工毛基底部の長手方向には前記まつげエクステンション用人工毛胴体部軸心に対し所望の傾斜角をもつ直線線素群から構成されると共に周方向に見ると該地まつ毛に沿う曲線群から構成される全体的に周方向に湾曲する周方向湾曲接着面を有することを特徴とし、さらに前記周方向湾曲接着面を複数有し、且つ該周方向湾曲接着面の前記まつげエクステンション用人工毛胴体部の軸心に対する各々の傾斜角度が異なることを特徴とする。
【発明の効果】
【０００９】  エクステンション用人工毛がまつげエクステンション用人工毛基底部の長手方向にはまつげエクステンション用人工毛胴体部の軸心に対してエクステンション用人工毛の装着角度に合致する所望の傾斜角をもつ直線状接触部を形成する平坦接着面又は直線線素群から構成されると共に周方向に見ると該地まつ毛に沿う曲線群から構成される全体的に周方向に湾曲する周方向湾曲接着面を有することにより、地まつげに対する所望位置に所望本数のエクステンション用人工毛が所望の装着角度に精度よく設けられ且つ接触部周りのメニスカスに接着剤の表面張力により生成される接着剤のフィレット部の周方向長さ即ち全周長を長くして接着剤と地まつげ胴部外周面及びエクステンション用人工毛の平坦接着面又周方向湾曲接着面との有効な接触面積を大きくして充分な接着強度が確保されて剥がれ難く愛急性に優れるエクステンション用人工毛の装着部が得られて、地まつげの長さの延長や本数の増加などの相乗効果によりボリューム感の有る地まつげを安定して得ることが出来る。
【図面の簡単な説明】
【００１０】
【図１】本発明に係るまつげエクステンション用人工毛の装着状況の一実施の形態を示し、地まつげの長さ方向と共に周方向において互いに異なる位置に３本のまつげエクステンション用人工毛を装着した状態のまつげの平面図である。
【図２Ａ】本発明に係るまつげエクステンション用人工毛の第一実施例を示し、基底部に平坦接着面を設けたまつげエクステンション用人工毛の平面図である。
【図２Ｂ】図２Ａに示す基底部に平坦接着面を設けたまつげエクステンション用人工毛の底面図である。
【図２Ｃ】図２Ａに示す基底部に平坦接着面を設けたまつげエクステンション用人工毛の左側面図である。
【図３Ａ】地まつげに図２Ａに示す基底部に平坦接着面を設けたまつげエクステンション用人工毛を装着した状態の平面図である。
【図３Ｂ】図３Ａに示す基底部に平坦接着面を設けたまつげエクステンション用人工毛を地まつげに装着した状態の上面図である。
【図３Ｃ】図３Ａに示す基底部に平坦接着面を設けたまつげエクステンション用人工毛を地まつげに装着した状態の左側面図である。
【図４Ａ】本発明に係るまつげエクステンション用人工毛の第二実施例示し、基底部に周方向湾曲接着面を設けたまつげエクステンション用人工毛の平面図である。
【図４Ｂ】図４Ａに示す基底部に周方向湾曲接着面を設けたまつげエクステンション用人工毛の底面図である。
【図４Ｃ】図４Ａに示す基底部に周方向湾曲接着面を設けたまつげエクステンション用人工毛の左側面図である。
【図５Ａ】地まつげに図３Ａに示す基底部に周方向湾曲接着面を設けたまつげエクステンション用人工毛を装着した状態の平面図である。
【図５Ｂ】図５Ａに示す基底部に周方向湾曲接着面を設けたまつげエクステンション用人工毛を地まつげに装着した状態の上面図である。
【図５Ｃ】図５Ａに示す基底部に周方向湾曲接着面を設けたまつげエクステンション用人工毛を地まつげに装着した状態の左側面図である。
【図６Ａ】本発明に係るまつげエクステンション用人工毛の第三実施例を示し、基底部に平坦接着面を対向させて二面設けたまつげエクステンション用人工毛の平面図である。
【図６Ｂ】図６Ａに示す基底部に平坦接着面を対向させて二面設けたまつげエクステンション用人工毛の上面図である。
【図６Ｃ】図６Ａに示す基底部に平坦接着面を対向させて二面設けたまつげエクステンション用人工毛の左側面図である。
【図７Ａ】地まつげに図６Ａに示す基底部に平坦接着面を対向させて二面設けたまつげエクステンション用人工毛を装着した状態の平面図である。
【図７Ｂ】図６Ａに示す基底部に平坦接着面を対向させて二面設けたまつげエクステンション用人工毛を地まつげに装着した状態の上面図である。
【図７Ｃ】図６Ａに示す基底部に平坦接着面を対向させて二面設けたまつげエクステンション用人工毛を地まつげに装着した状態の左側面図である。
【図８】本発明に係るまつげエクステンション用人工毛の第四実施例を示し、基底部に二面の平坦接着面を所望角度を有して設けたまつげエクステンション用人工毛を地まつげに装着した状態の左側面図である。
【図９Ａ】従来のまつげエクステンション用人工毛の装着状況の形態の一例を示し、地まつげの側面にまつげエクステンション用人工毛を傾斜して装着した状態のまつげの平面図である。
【図９Ｂ】図９Ａに示す地まつげの側面にまつげエクステンション用人工毛を傾斜して装着した状態のまつげの左側面図である。
【図１０Ａ】従来のまつげエクステンション用人工毛の装着状況の形態の他の例を示し、地まつげの上面にまつげエクステンション用人工毛を交差して装着した状態のまつげの上面図である。
【図１０Ｂ】図１０Ａに示す地まつげの上面にまつげエクステンション用人工毛を交差して装着した状態の地まつげ及びまつげエクステンション用人工毛のＡ−Ａ断面図である。
【発明を実施するための形態】
【実施例】
【００１１】  以下、本発明に係るまつげエクステンション用人工毛を、各実施の形態に基づき、図面を参照して詳細に説明する。【００１２】［装着の形態］  本発明に係るまつげエクステンション用人工毛１０の装着にあっては、図１に示すように、瞼端部２４に毛根を有した地まつげ１１の地まつげ胴部１２に装着されるまつげエクステンション用人工毛１０は地まつげ基底部１７から地まつげ前装部１６までの、地まつげ１０の任意の軸方向位置、任意の周方向位置、且つ任意の装着角度に少なくとも一本のエクステンション用人工毛１０がまつげエクステンション用人工毛前装部１４とまつげエクステンション用人工毛基底部１５との間のまつげエクステンション用人工毛胴体部１３の３部位よりなると共に該３部位は所望の直線若しくは３次元的曲線より成る軸心を共有し、さらに前記まつげエクステンション用人工毛前装部１４−１及びまつげエクステンション用人工毛基底部１５−１は各々先端もしくは後端に向かって先細り状に形成され、さらに前記まつげエクステンション用人工毛基底部１５の長手方向に装着角度αに合致する所望の傾斜角をもつ直線状接触部１９を有する平坦接着面１８もしくは曲面状接触部２１を有する周方向湾曲接着面２０により地まつげ１０に接着剤による固定部２２の形成により装着される。【００１３】  図２Ａ、図２Ｂ、図２Ｃに示す第１実施例のまつげエクステンション用人工毛１０−１は、先端先細り状のまつげエクステンション用人工毛前装部１４−１とまつげエクステンション用人工毛基底部１５−１の間にまつげエクステンション用人工毛胴体部１３−１の３部位より成ると共にこの３部位は所望の直線若しくは３次元的曲線（図示せず）より成る軸心を共有し、さらに前記まつげエクステンション用人工毛前装部１４及びまつげエクステンション用人工毛基底部１５は各々先端もしくは後端に向かって先細り状に形成され、且つ前記まつげエクステンション用人工毛基底部１５−１の長手方向に前記まつげエクステンション用人工毛胴体部１３−１の軸心に対し所望の傾斜角度αを有した地まつげ１０に対し接着剤２３−１による固定部２２−１を形成するための平坦接着面１８−１を設けている。【００１４】  なおこの傾斜角度αは、地まつげ１１の軸心に対するまつげエクステンション用人工毛胴体部１３−１の軸心に対する所望の装着・取付け角度である。【００１５】  前記平坦接着面１８−１を設けたまつげエクステンション用人工毛１０−１の装着状況を図３Ａ、図３Ｂ、図３Ｃに示すが、平坦接着面１８−１を設けたことにより地まつげ１１の軸心に対しまつげエクステンション用人工毛胴体部１３−１が所望の取付け角度αを確実に確保され、且つ地まつげ１１とまつげエクステンション用人工毛基底部１５−１の長手方向部位には軸方向に長い直線状接触部１９−１が形成されるので該軸方向に長い直線状接触部１９−１の周縁のメニスカスに接着剤２３−１の表面張力により生成される接着剤２３−１のフィレット部の周方向長さ即ち全周長が長くなって接着剤２３−１と地まつげ胴部１２外周表面とまつげエクステンション用人工毛基底部１５−１の長手方向部位の平坦接着面１８−１との有効な接触面積を大きくして充分な接着強度が確保できて剥がれ難い固定部２２−１を得ることが出来た。【００１６】  図４Ａ、図４Ｂ、図４Ｃに示す第２実施例のまつげエクステンション用人工毛１０−２は、先端先細り状のまつげエクステンション用人工毛前装部１４−２とまつげエクステンション用人工毛基底部１５−２の間にまつげエクステンション用人工毛胴体部１３−２の３部位より成ると共にこの３部位は所望の直線若しくは３次元的曲線（図示せず）より成る軸心を共有し、さらに前記まつげエクステンション用人工毛前装部１４−２及びまつげエクステンション用人工毛基底部１５−２は各々先端もしくは後端に向かって先細り状に形成され且つ前記まつげエクステンション用人工毛基底部１５−２の長手方向に前記まつげエクステンション用人工毛胴体部１３−２の軸心に対し所望の傾斜角度αを有した地まつげ１０に対し接着剤２３−２による曲面状接触部２１を有する固定部２２−２を形成するための直線線素群から構成されると共に周方向に見ると該地まつ毛に沿う曲線群から構成される全体的に周方向に湾曲する周方向湾曲接着面２０−２を設けている。【００１７】  なおこの傾斜角度αは、地まつげ１１の軸心に対するまつげエクステンション用人工毛胴体部１３−２の軸心に対する所望の装着・取付け角度である。【００１８】  前記周方向湾曲接着面２０−２を設けたまつげエクステンション用人工毛１０−２の装着状況を図５Ａ、図５Ｂ、図５Ｃに示すが、周方向湾曲接着面２０−２を設けたことにより地まつげ１１の軸心に対しまつげエクステンション用人工毛胴体部１３−２が所望の取付け角度αを確実に確保され、且つ地まつげ１１とまつげエクステンション用人工毛基底部１５−２の長手方向部位とには軸方向に長いと共に面積の広い面状接触部２１−２が形成されるので該軸方向に長いと共に面積の広い面状接触部２１−２の周縁のメニスカスに接着剤２３−２の表面張力により生成される接着剤２３−２のフィレット部の周方向長さ即ち全周長が長くなって接着剤２３−２と地まつげ胴部１２外周表面とまつげエクステンション用人工毛基底部１５−２の長手方向部位の面状接触部２１−２との有効な接触面積を大きくして充分な接着強度が確保できて剥がれ難い固定部２２−２を得ることが出来た。【００１９】  図６Ａ、図６Ｂ、図６Ｃに示す第３実施例のまつげエクステンション用人工毛１０−３は、先端先細り状のまつげエクステンション用人工毛前装部１４−３とまつげエクステンション用人工毛基底部１５−３の間にまつげエクステンション用人工毛胴体部１３−３の３部位より成ると共にこの３部位は所望の直線若しくは３次元的曲線（図示せず）より成る軸心を共有し、さらに前記まつげエクステンション用人工毛前装部１４−３及びまつげエクステンション用人工毛基底部１５−３は各々先端もしくは後端に向かって先細り状に形成され、且つ前記まつげエクステンション用人工毛基底部１５−３の長手方向に前記まつげエクステンション用人工毛胴体部１３−３の軸心に対し所望の傾斜角度αを有した地まつげ１０に対し接着剤２３−３による固定部２２−３を形成するための平坦接着面１８−３ａ、１８−３ｂを設けている。【００２０】  なおこの傾斜角度α及びβは、地まつげ１１の軸心に対するまつげエクス��ンション用人工毛胴体部１３−３の軸心に対する所望の装着・取付け角度である。【００２１】  前記平坦接着面１８−３ａ、１８−３ｂを設けたまつげエクステンション用人工毛１０−３の平坦接着面１８−３ａを使用しての装着状況を図７Ａ、図７Ｂ、図７Ｃに示すが、平坦接着面１８−３ａを設けたことにより地まつげ１１の軸心に対しまつげエクステンション用人工毛胴体部１３−３が所望の取付け角度αを確実に確保され、且つ地まつげ１１とまつげエクステンション用人工毛基底部１５−３の長手方向部位とには軸方向に長い直線状接触部１９−３が形成されるので該軸方向に長い直線状接触部１９−３の周縁のメニスカスに接着剤２３−３の表面張力により生成される接着剤２３−３のフィレット部の周方向長さ即ち全周長が長くなって接着剤２３−３と地まつげ胴部１２外周表面とまつげエクステンション用人工毛基底部１５−３の長手方向部位の平坦接着面１８−３ａとの有効な接触面積を大きくして充分な接着強度が確保できて剥がれ難い固定部２２−３を得ることが出来た。なお取付け角度βが所望な場合はまつげエクステンション用人工毛基底部１５−４を１８０度回転させて平坦接着面１８−３ｂを使用し直線状接触部１９−３を介して接着剤２３−３により固定部２２−３を形成して装着る。【００２２】  図８に示す第４実施例のまつげエクステンション用人工毛１０−４は、前記第３実施例のまつげエクステンション用人工毛１０−３の地まつげ１０に対し接着剤２３−３による固定部２２−３を形成するための平坦接着面１８−３ａ、１８−３ｂの二面が図６Ｃに示すようにまつげエクステンション用人工毛基底部１５−３側から見て端部が平行に設けられていたのに対し、本実施例にあってはまつげエクステンション用人工毛１０−４の平坦接着面１８−４ａ、１８−４ｂはまつげエクステンション用人工毛基底部１５−４側から見て端部が１８０度より小さい所望角度θに設けた物であって、地まつげ１１に対しまつげエクステンション用人工毛基底部１５−４の装着施術時の取付け角度のα、β間での変更がまつげエクステンション用人工毛基底部１５−４の回転を１８０度より小さいθの実施で良く施術がし易いとの特徴を有する。
【産業上の利用可能性】
【００２３】  本発明に係るまつげエクステンション用人工毛は、まつげエクステンション用人工毛基底部の長手方向部位への平坦接着面及び又は周方向湾曲接着面の存在により地まつげへの装着性、即ち装着時の角度精度の向上、装着強度が向上して剥がれ難く耐久性に優れるので、エクステンションを施す専門店等において広く利用されるものであり、産業上利用可能性を有している。
【符号の説明】
【００２４】１０、１０−１、１０−２、１０−３、１０−４    まつげエクステンション用人工毛１１    地まつげ１２    地まつげ胴部１３、１３−１、１３−２、１３−３    まつげエクステンション用人工毛胴体部１４、１４−１、１４−２、１４−３    まつげエクステンション用人工毛前装部１５、１５−１、１５−２、１５−３、１５−４    まつげエクステンション用人工毛基底部１６    地まつげ前装部１７    地まつげ基底部１８、１８−１、１８−３ａ、１８−３ｂ、１８−４ａ、１８−４ｂ    平坦接着面１９、１９−１、１９−３    直線状接触部２０、２０−２    周方向湾曲接着面２１、２１−２    曲面状接触部２２、２２−１、２２−２、２２−３    固定部２３、２３−１、２３−２、２３−３    接着剤２４    瞼端部
【図１】
2018204165.tif 000003
【図２Ａ】
2018204165.tif 000004
【図２Ｂ】
2018204165.tif 000005
【図２Ｃ】
2018204165.tif 000006
【図３Ａ】
2018204165.tif 000007
【図３Ｂ】
2018204165.tif 000008
【図３Ｃ】
2018204165.tif 000009
【図４Ａ】
2018204165.tif 000010
【図４Ｂ】
2018204165.tif 000011
【図４Ｃ】
2018204165.tif 000012
【図５Ａ】
2018204165.tif 000013
【図５Ｂ】
2018204165.tif 000014
【図５Ｃ】
2018204165.tif 000015
【図６Ａ】
2018204165.tif 000016
【図６Ｂ】
2018204165.tif 000017
【図６Ｃ】
2018204165.tif 000018
【図７Ａ】
2018204165.tif 000019
【図７Ｂ】
2018204165.tif 000020
【図７Ｃ】
2018204165.tif 000021
【図８】
2018204165.tif 000022
【図９Ａ】
2018204165.tif 000023
【図９Ｂ】
2018204165.tif 000024
【図１０Ａ】
2018204165.tif 000025
【図１０Ｂ】
2018204165.tif 000026